(57)【要約】【課題】発光手段の移動時に発生する騒音を低減させることのできるストロボ装置を提供することを課題とする。【解決手段】発光手段４を光学部材５に対して接離する方向に移動させる駆動装置６を備え、駆動装置６は、駆動モータ１４と、駆動モータ１４の出力軸に連結され、発光手段４の移動方向に延びるスクリュー軸１５と、スクリュー軸１５に螺合されたスライダ１６とを備え、発光手段４又はスライダ１６の何れか一方は、スクリュー軸１５の延びる方向に間隔をあけて配置された一対の第一磁石１８，１９が設けられるとともに、発光手段４又はスライダ１６の何れか他方は、一対の第一磁石１８，１９間に配置される第二磁石２０が設けられ、一対の第一磁石１８，１９は、異なる磁極を対向させた状態で配置され、第二磁石２０は、各第一磁石１８，１９に対して同じ磁極を対向させるように配置されていることを特徴とする。【選択図】図２
2011164241.tif 000002
【特許請求の範囲】
【請求項１】
光源を備えるとともに該光源からの光を前方に向けて反射させる反射部材を備える発光手段と、発光手段の前方に配置される光学部材と、発光手段を光学部材に対して接離する方向に移動させる駆動装置とを備え、駆動装置は、駆動モータと、駆動モータの出力軸に連結され、発光手段の移動方向に延びるスクリュー軸と、スクリュー軸に螺合されたスライダとを備え、スクリュー軸の回転に伴うスライダの移動で発光手段を移動させるストロボ装置において、発光手段又はスライダの何れか一方は、スクリュー軸の延びる方向に間隔をあけて配置された一対の第一磁石が設けられるとともに、発光手段又はスライダの何れか他方は、一対の第一磁石間に配置される第二磁石が設けられ、一対の第一磁石は、異なる磁極を対向させた状態で配置され、第二磁石は、各第一磁石に対して同じ磁極を対向させるように配置されていることを特徴とするストロボ装置。
【請求項２】
スクリュー軸と同方向に延びるガイドレールを備えるとともに、発光手段がガイドレールに案内されるガイド部を備え、発光手段は、ガイド部に電磁ブレーキ機構を備えている請求項１に記載のストロボ装置。
【請求項３】
電磁ブレーキ機構は、無励磁作動型である請求項２に記載のストロボ装置。
【発明の詳細な説明】
【技術分野】
【０００１】
本発明は、写真撮影に用いられるストロボ装置に関し、特に、光の照射範囲が変更可能なストロボ装置に関する。
【背景技術】
【０００２】
写真撮影に用いられるストロボ装置は、発光手段を備えている。かかる発光手段は、閃光放電管等で構成される光源と光源からの光を反射させる反射部材とを備えており、光源からの直接光と、光源からの光を反射部材で反射させた反射光とを被写体に向けて照射するようになっている。
【０００３】
そして、この種のストロボ装置には、発光手段の前方にフレネルレンズ等の光学部材が配置されるとともに、発光手段を光学部材に対して接離する方向に移動させる駆動装置を備えたものが提供されている。かかる駆動装置は、駆動モータと、駆動モータからの駆動を受けて回転するスクリュー軸と、該スクリュー軸に螺合されるとともに、発光手段に連結されたスライダとを備えており、駆動モータでスクリュー軸を回転させることでスライダとともに発光手段がスクリュー軸の軸線方向に移動するようになっている。
【０００４】
これにより、上記ストロボ装置は、光学部材に対する発光手段の相対距離を変化させて光の照射範囲を変更できるようになっている（特許文献１）。
【先行技術文献】
【特許文献】
【０００５】
【特許文献１】特開２００３−８４３４０号公報
【発明の概要】
【発明が解決しようとする課題】
【０００６】
しかしながら、上記構成のストロボ装置は、スクリュー軸に螺合したスライダに発光手段が直接連結されているため、発光手段を移動させるときに、駆動モータの回転による振動や、スクリュー軸とスライダとの螺合に伴う機械的な振動が発光手段に伝わってしまう。そのため、上記構成のストロボ装置は、発光手段を移動させるとき（光の照射範囲を変更するとき）に、発光手段で振動が増幅したり共振を起こしたりして騒音を発生させることがあり、場合によっては使用者に不快感を与えることがあった。
【０００７】
そこで、本発明は、斯かる実情に鑑み、発光手段の移動時に発生する騒音を低減させることのできるストロボ装置を提供することを課題とする。
【課題を解決するための手段】
【０００８】
本発明に係るストロボ装置は、光源を備えるとともに該光源からの光を前方に向けて反射させる反射部材を備える発光手段と、発光手段の前方に配置される光学部材と、発光手段を光学部材に対して接離する方向に移動させる駆動装置とを備え、駆動装置は、駆動モータと、駆動モータの出力軸に連結され、発光手段の移動方向に延びるスクリュー軸と、スクリュー軸に螺合されたスライダとを備え、スクリュー軸の回転に伴うスライダの移動で発光手段を移動させるストロボ装置において、発光手段又はスライダの何れか一方は、スクリュー軸の延びる方向に間隔をあけて配置された一対の第一磁石が設けられるとともに、発光手段又はスライダの何れか他方は、一対の第一磁石間に配置される第二磁石が設けられ、一対の第一磁石は、異なる磁極を対向させた状態で配置され、第二磁石は、各第一磁石に対して同じ磁極を対向させるように配置されていることを特徴とする。
【０００９】
上記ストロボ装置によれば、発光手段又はスライダの何れか一方は、スクリュー軸の延びる方向に間隔をあけて配置された一対の第一磁石が設けられるとともに、発光手段又はスライダの何れか他方は、一対の第一磁石間に配置される第二磁石が設けられ、一対の第一磁石は、異なる磁極を対向させた状態で配置され、第二磁石は、各第一磁石に対して同じ磁極を対向させるように配置されているため、一対の第一磁石が第二磁石に対して反発力を生じさせるとともに第二磁石が各第一磁石に対して反発力を生じさせる結果、第一磁石と第二磁石とが互いに引き付けられることなく、第二磁石が一対の第一磁石間で中立位置に位置することなる。そして、駆動モータの駆動でスクリュー軸を回転させ、スライダをスクリュー軸に沿って軸線方向に移動させると、一対の第一磁石及び第二磁石が接触することなく（第二磁石が第一磁石間の中立位置で維持しながら）スライダの移動力が発光手段に伝えられることになり、発光手段がスクリュー軸の延びる方向に移動する。
【００１０】
このように、上記構成のストロボ装置は、第一磁石と第二磁石とが非接触状態を維持しつつスライダの移動力が発光手段に伝達されるため、駆動モータの回転による振動や、スクリュー軸とスライダとの螺合に伴う振動が発生しても、発光手段に伝わることがない。
【００１１】
これにより、上記構成のストロボ装置は、発光手段での振動の増幅や共振の発生が防止される結果、発光手段の移動に伴う騒音の発生を低減させることができる。また、上記構成のストロボ装置は、第一磁石と第二磁石とが非接触の状態を維持するため、駆動装置に対して外部から衝撃等が加わってもその衝撃が発光手段に伝わりにくく、発光手段を保護する観点でも優れている。さらに、上記構成のストロボ装置は、発光手段と駆動装置との連結が非接触で実現できるため、これらの組み付けにおいて高い組み付け精度が要求されることがなく、発光手段のスムーズな移動も実現できる。
【００１２】
本発明の一態様として、スクリュー軸と同方向に延びるガイドレールを備えるとともに、発光手段がガイドレールに案内されるガイド部を備え、発光手段は、ガイド部に電磁ブレーキ機構を備えていることが好ましい。このようにすれば、発光手段をスクリュー軸の延びる方向で移動させて光の照射範囲を変更するときに、電磁ブレーキ機構で発光手段を所望する位置に適正に停止させることができる。また、発光手段を停止しているときに電磁ブレーキ機構で発光手段の移動を規制しておけば、外部からの衝撃等が生じたとしても発光手段を適正位置に配置した状態で維持させることができる。
【００１３】
この場合、電磁ブレーキ機構は、無励磁作動型であることが好ましい。このようにすれば、機械的にブレーキをかける（発光手段の移動を規制する）ことができるため、電気的な不具合が発生したときでも確実にブレーキを作動させることができる。
【発明の効果】
【００１４】
以上のように、本発明のストロボ装置によれば、発光手段の移動時に発生する騒音を低減させることができるという優れた効果を奏し得る。
【図面の簡単な説明】
【００１５】
【図１】本発明の第一実施形態に係るストロボ装置の概略縦断面図
【図２】第一実施形態に係るストロボ装置の駆動装置及び発光手段の概略斜視図であって、（ａ）は、駆動装置と発光手段とを分離させた状態の斜視図、（ｂ）は、駆動装置と発光手段とを組み合わせた斜視図
【図３】本発明の第二実施形態に係るストロボ装置の発光手段が備える電磁ブレーキ機構の概略断面図
【発明を実施するための形態】
【００１６】
以下、本発明の第一実施形態に係るストロボ装置について、添付図面を参照しつつ説明する。
【００１７】
本実施形態に係るストロボ装置は、図１に示す如く、カメラ（図示しない）に対して着脱可能に構成され、カメラに対する操作に連動して発光するようになっている。具体的には、本実施形態に係るストロボ装置１は、光源２を備えるとともに光源２の光を反射させる反射部材３を備えた発光手段４と、発光手段４の前方に配置された光学部材５と、発光手段４を光学部材５に対して接離させるための駆動装置６とを備えている。
【００１８】
そして、ストロボ装置１は、発光手段４、光学部材５、及び駆動装置６を内装し、カメラに対して着脱可能に形成されたケーシング７を備えている。
【００１９】
本実施形態に係る発光手段４は、図２（ａ）及び図２（ｂ）に示す如く、前面が開放した函状のホルダ８を備えており、該ホルダ８に光源２及び反射部材３が内装されている。本実施形態に係る光源２は、閃光放電管が採用されている。すなわち、光源２は、筒状のガラスバルブ９の両端部に一対の電極１０，１０が封着されるとともに、ガラスバルブ９の外周にトリガー電極（図示しない）が配置されており、トリガー電極に対して励起電流を印荷することで一対の電極１０，１０間に放電を生じさせることで、閃光を発生させるようになっている。
【００２０】
前記反射部材３は、板材を湾曲状（Ｕ字状）に曲げ加工したもので、内周面１１が鏡面状になっている。そして、反射部材３は、内周面１１（鏡面）をホルダ８の前面側に向けた状態でホルダ８内に固定されるとともに、光源２は、発光領域となるガラスバルブ９を反射部材３の内周面１１（鏡面）の前方に配置した状態でホルダ８に固定されている。
【００２１】
本実施形態に係るストロボ装置１は、上述の如く、発光手段４が光学部材５に対して接離する方向に移動可能に構成されているため、発光手段４の移動を適正なものとすべく、発光手段４を案内するためのガイドレール１２を備えている。本実施形態に係るガイドレール１２は、棒状に形成されており、発光手段４の移動方向と同方向（後述するスクリュー軸１５の延びる方向と同方向）に延びるように配置され、ケーシング７に対して固定されている。これに伴い、発光手段４は、ガイドレール１２に案内されるガイド部１３を備えている。すなわち、発光手段４のホルダ８は、ガイドレール１２が挿通され、ガイドレール１２の外周面上を摺動可能なガイド部１３が設けられている。これにより、発光手段４は、ガイドレール１２に沿って移動可能になっている。
【００２２】
図１に戻り、光学部材５は、レンズであり、本実施形態においては、フレネルレンズが採用されている。
【００２３】
駆動装置６は、図２（ａ）及び図２（ｂ）に示す如く、駆動モータ１４と、駆動モータ１４の出力軸（図示しない）に連結され、発光手段４の移動方向に延びるスクリュー軸１５と、該スクリュー軸１５に螺合されたスライダ１６とを備えている。かかる駆動装置６は、駆動モータ１４の出力軸とスクリュー軸１５が同心になるように、駆動モータ１４の出力軸にスクリュー軸１５の基端が連結される一方、駆動モータ１４のケース（採番しない）に連結され、且つケーシング７に固定されるフレーム１７にスクリュー軸１５の先端が軸支されている。そして、駆動装置６は、発光手段４の移動方向と同方向にスクリュー軸１５が延びるように配置されている。
【００２４】
スライダ１６は、スクリュー軸１５に螺合され、スクリュー軸１５の回転で該スクリュー軸１５の軸線方向に移動できるものであればよく、例えば、スクリュー軸１５の外周に形成された雄ねじと直接螺合する雌ねじの形成されたものや、スクリュー軸１５の外周に形成された螺旋溝と該スライダ１６の内周面１１に形成された螺旋溝との間に複数のボールを介装した、いわゆるボールねじを内装したものであってもよい。
【００２５】
そして、ストロボ装置１は、発光手段４又はスライダ１６の何れか一方は、スクリュー軸１５の延びる方向に間隔をあけて配置された一対の第一磁石１８，１９が設けられるとともに、発光手段４又はスライダ１６の何れか他方は、一対の第一磁石１８，１９間に配置される第二磁石２０が設けられる。すなわち、本実施形態に係るストロボ装置１は、スライダ１６の移動力を発光手段４に伝達すべく、発光手段４のホルダ８に一対の第一磁石１８，１９が設けられ、スライダ１６に第二磁石２０が設けられている。
【００２６】
一対の第一磁石１８，１９は、異なる磁極を対向させた状態で配置され、第二磁石２０は、各第一磁石１８，１９に対して同じ磁極を対向させるように配置されている。より具体的には、一対の第一磁石１８，１９は、第二磁石２０の厚み（Ｎ極側の外面とＳ極側の外面との距離）より広い間隔をあけて配置されている。本実施形態に係るストロボ装置１は、ホルダ８の上部に上方を開放させた凹部２１が形成されており、一対の第一磁石１８，１９は、ホルダ８の凹部２１内に第二磁石２０の厚み以上の間隔をあけて配置されている。そして、第二磁石２０は、スライダ１６の外面から延出するように設けられており、ホルダ８の凹部２１内（一対の第一磁石１８，１９間）に配置されている。かかる第二磁石２０は、ホルダ８の凹部２１よりも小さなサイズに設定されている。すなわち、第二磁石２０は、ホルダ８の凹部２１内に配置した状態で、ホルダ８（凹部２１の内面）に接触しないようにサイズ設定されている。
【００２７】
図１に戻り、ケーシング７は、前面に開口が形成されており、該開口内に光学部材５が配置されている。そして、ストロボ装置１のケーシング７内には、光学部材５の配置に合わせて発光手段４が反射部材３の内周面１１（反射面）を開口（光学部材５）側に向けて配置されるとともに、発光手段４の配置に合わせて、駆動装置６、ガイドレール１２が配置されている。なお、ケーシング７内には、上記構成に加え、発光手段４の発光状態や発光タイミング、発光手段４の移動（配置）をカメラの動作や操作に連動させる制御基板が内装されている。また、ケーシング７の下端には、カメラに対して機械的及び電気的に接続する接続部２２が設けられている。
【００２８】
本実施形態に係るストロボ装置１は、以上の構成からなり、次に、上記構成のストロボ装置１の作動について説明する。
【００２９】
本実施形態に係るストロボ装置１は、図２（ａ）及び図２（ｂ）に示す如く、発光手段４に一対の第一磁石１８，１９が設けられるとともに、スライダ１６に第二磁石２０が設けられ、一対の第一磁石１８，１９が異なる磁極を対向させた状態で配置され、第二磁石２０が各第一磁石１８，１９の磁極と同じ磁極を対向させるように配置されているため、第二磁石２０が各第一磁石１８，１９に対して反発力を生じさせるとともに各第一磁石１８，１９が第二磁石２０に対して反発力を生じさせる結果、第二磁石２０が何れの第一磁石１８，１９側にも引き付けられることなく一対の第一磁石１８，１９間で中立位置に位置することなる、
そして、写真撮影を行う際に光の照射範囲を変更すべく駆動モータ１４の駆動でスクリュー軸１５を回転させるとスライダ１６がスクリュー軸１５に沿って軸線方向に移動する。このとき、上述の如く、第一磁石１８，１９と第二磁石２０との間で反発力を生じさせているため、一対の第一磁石１８，１９及び第二磁石２０が接触することなく（第二磁石２０が第一磁石１８，１９間の中立位置で維持しながら）スライダ１６の移動力が発光手段４に伝えられ、発光手段４がスクリュー軸１５の延びる方向に移動することになる。
【００３０】
このように上記ストロボ装置１は、第一磁石１８，１９と第二磁石２０とが非接触状態を維持しつつスライダ１６の移動力が発光手段４に伝達されるため、駆動モータ１４の回転による振動や、スクリュー軸１５とスライダ１６との螺合に伴う振動が発生しても、発光手段４に伝わって増幅させることがない。
【００３１】
従って、上記ストロボ装置１は、発光手段４の移動に伴う騒音の発生を低減させることができる。これを確認すべく、発明者が機測１５ｃｍの位置での騒音を騒音計（リオン社製ＳＡ−２９）で確認したところ、従来のストロボ装置１では、発光手段４を移動させたときの騒音が５０ｄＢであったが、上記構成を採用することで発光手段４の移動時の騒音を４０ｄＢ（２相励磁駆動の場合にて。Ｗ１−２相励磁では３７ｄＢ）にまで低減できることを確認している。
【００３２】
また、上記ストロボ装置１は、第一磁石１８，１９と第二磁石２０とが非接触の状態を維持するため、駆動装置６に対して外部から衝撃等が加わっても発光手段４に伝わりにくく、発光手段４を保護する観点でも優れている。さらに、上記ストロボ装置１は、発光手段４と駆動装置６との連結が非接触で実現できるため、これらの組み付けにおいて高い組み付け精度が要求されることがなく、発光手段４のスムーズの移動も実現できる。
【００３３】
次に、本発明の第二実施形態に係るストロボ装置について説明する。本実施形態に係るストロボ装置は、ガイド部の内部構造を除き、発光手段、駆動装置、ガイドレール、ケーシング等の構成が第一実施形態と共通しているため、これらの共通する構成については第一実施形態を参酌してここでの説明を割愛し、ガイド部の内部構造についてのみ説明する。また、第一実施形態と共通する構成については、第一実施形態と同一名称及び同一符号を付すこととする。
【００３４】
本実施形態に係るストロボ装置１の発光手段４は、図３に示す如く、ガイド部１３に電磁ブレーキ機構２３が内装されている。本実施形態においては、無励磁作動型の電磁ブレーキ機構２３が内装されている。
【００３５】
具体的に説明すると、本実施形態に係るガイド部１３は、ガイドレール１２の外周面に対して接離可能に配設されたブレーキシュー２４と、ブレーキシュー２４をガイドレール１２の外周面に向けて付勢する付勢手段２５（本実施形態においてはコイルバネ）と、ブレーキシュー２４をガイドレール１２から離間させるための電磁コイル２６とが内装されている。
【００３６】
かかる電磁ブレーキ機構２３は、常態において、電磁コイル２６を励磁しないようになっている。すなわち、電磁ブレーキ機構２３は、常態において、付勢手段２５による付勢でブレーキシュー２４をガイドレール１２の外周面に圧接させ、発光手段４の移動を規制するようになっている。そして、本実施形態に係る電磁ブレーキ機構２３は、発光手段４を移動させるときに、電磁コイル２６を励磁するようになっている。すなわち、上記電磁ブレーキ機構２３は、発光手段４を移動させるときに、電磁コイル２６を励磁してブレーキシュー２４をガイドレール１２から離間させ、発光手段４の移動を許容するようになっている。
【００３７】
これにより、上記ストロボ装置１は、写真撮影を行うときに適正位置に配置した発光手段４を不用意に移動させてしまうことを防止できる上に、発光手段４を移動させて停止させるときに発光手段４が惰性で移動してしまうことも防止することができる。また、発光手段４を停止しているときに電磁ブレーキ機構２３で発光手段４の移動を規制しておけば、外部からの衝撃等が生じたとしても発光手段４を適正位置に配置させた状態で維持させることができる。
【００３８】
また、本実施形態においては、電磁ブレーキ機構２３に無励磁作動型を採用しているため、機械的にブレーキをかけることができ、電気的な不具合が発生したときでも確実にブレーキを作動させることができる。
【００３９】
なお、本発明に係るストロボ装置は、上記各実施形態に限定されるものではなく、本発明の要旨を逸脱しない範囲で適宜変更し得ることは勿論のことである。
【００４０】
上記各実施形態において、発光手段４に一対の第一磁石１８，１９を設ける一方、スライダ１６に第二磁石２０を設けたが、これに限定されるものではなく、発光手段４に第二磁石２０を設ける一方、スライダ１６に一対の第一磁石１８，１９を設けるようにしてもよい。この場合においても、一対の第一磁石１８，１９のそれぞれに対して第二磁石２０が非接触になるように配置することは言うまでもない。
【００４１】
上記各実施形態において、ガイドレール１２として発光手段４（ホルダ８）挿通させる形態のものを採用したが、これに限定されるものではなく、例えば、発光手段４を懸垂状態で案内するようにしたものや、発光手段４の下部を案内するようにしたものであってもよい。
【００４２】
上記各実施形態において、カメラに対して着脱可能なストロボ装置１について説明したが、これに限定されるものではなく、カメラに対して一体的に装備されるストロボ装置であっても勿論よい。
【００４３】
上記第二実施形態において、ガイド部１３にブレーキ機構２３を設けたが、これに限定されるものではなく、ブレーキ機構２３は必要に応じて設ければよい。但し、スクリュー軸１５とスライダ１６との螺合をボールネジによってする場合には、スクリュー軸１５とスライダ１６との抵抗が小さく、スライダ１６が惰性で移動する可能性が高くなるため、ガイド部１３にブレーキ機構２３を設けることが好ましい。
【００４４】
上記第二実施形態において、無励磁型の電磁ブレーキ機構２３を採用したが、これに限定されるものではなく、例えば、ガイド部１３にブレーキ機構２３を設ける場合、励磁型の電磁ブレーキ２３を採用してもよい。すなわち、常態において電磁コイル２６の磁力でブレーキシュー２４をガイドレール１２に押し付ける一方、発光手段４を移動させるときに電磁コイル２６の励磁を解除して付勢手段２５（例えば、引っ張りバネ）でブレーキシュー２４をガイドレール１２から離間させるようにしてもよい。但し、励磁型の電磁ブレーキを採用した場合、電気的なトラブルが発生したときに発光手段４の移動を規制できなくなるため、無励磁型の電磁ブレーキ機構２３を採用するか、或いは、スクリュー軸１５とスライダ１６との螺合を台形ネジにより行い、スライダ１６の移動時の惰性を抑制するようにしたりすることが好ましい。
【産業上の利用可能性】
【００４５】
本発明は、発光手段の移動時に発生する騒音を低減させることができるという効果を有するため、光源を備えるとともに該光源からの光を前方に反射させる反射部材を備える発光手段と、発光手段の前方に配置される光学部材と、発光手段を光学部材に対して接離する方向に移動させる駆動装置とを備えるストロボ装置として有用である。
【符号の説明】
【００４６】
１  ストロボ装置
２  光源
３  反射部材
４  発光手段
５  光学部材
６  駆動装置
７  ケーシング
８  ホルダ
９  ガラスバルブ
１０  電極
１１  内周面
１２  ガイドレール
１３  ガイド部
１４  駆動モータ
１５  スクリュー軸
１６  スライダ
１７  フレーム
１８，１９  第一磁石
２０  第二磁石
２１  凹部
２２  接続部
２３  電磁ブレーキ機構
２４  ブレーキシュー
２５  付勢手段
２６  電磁コイル
【図１】
2011164241.tif 000003
【図２】
2011164241.tif 000004
【図３】
2011164241.tif 000005